【手続補正書】
【提出日】平成18年5月22日(2006.5.22)
【手続補正１】
【補正対象書類名】明細書
【補正対象項目名】特許請求の範囲
【補正方法】変更
【補正の内容】
【特許請求の範囲】
【請求項１】  録画装置であって
記録媒体に対して常時録画を行うことにより、Ｎ時間前から現在時刻までの放送内容を記録媒体に得る常時録画手段と、
ユーザ操作に基づき、受け付けた時間帯に対応する記録媒体上の部分に、保護属性を設定する設定手段とを備え、
前記放送内容は、複数のビデオユニットを有し、
常時録画手段による常時録画は、
放送波を受信して新たなビデオユニットを得る処理（１）、新たに得られたビデオユニットを用いて、記録媒体の放送内容のうち１つのビデオユニットを上書きする処理（２）によりなされ、
記録媒体において、前記保護属性が設定された部分は、
常時録画手段による上書きから、保護されることを特徴とする録画装置。
【請求項２】  前記録画装置は、記録媒体における書込先を示すポインタを有し、
常時録画手段による上書き処理（２）は、
ポインタに示される書込先に、生成されたビデオユニットを書き込み、その後、当該ビデオユニットのサイズをポインタに加算する処理であり、
常時録画手段による上書きからの保護は、
保護属性が設定された部分近傍に、ポインタが達した場合、当該部分をスキップするよう、当該ポインタにオフセットを加算することによりなされることを特徴とする請求項１記載の録画装置。
【請求項３】  前記保護属性が設定される部分とは、
現在からＮ時間前までに放送された複数放送番組のうち何れかを構成する２以上のビデオユニットが記録されている記録媒体上の部分であり、
前記録画装置は、前記複数放送番組の放送スケジュール表を表示する表示手段を備え、
前記ユーザ操作は、
前記何れかの放送番組が放送される時間帯を特定する操作であることを特徴とする請求項１記載の録画装置。
【請求項４】  前記保護属性が設定される部分とは、
Ｎ時間前から現在時刻までの時間帯に対応しており、
前記ユーザ操作は、
前記時間帯の開始時刻及び終了時刻を入力する操作であることを特徴とする請求項１記載の録画装置。
【請求項５】  前記入力操作は、開始時刻を入力する操作であり、
前記保護属性が設定される部分とは、
記録媒体に記録された複数ビデオユニットのうち、入力された開始時刻から所定の時間長を占める部分、又は、所定の時間長だけ過去の時刻から入力された開始時刻までを占める部分に設定される
ことを特徴とする請求項１記載の録画装置。
【請求項６】  前記録画装置は、
前記記録媒体とは別の可搬型記録媒体を操作する装填手段と、
前記保護属性が設定された部分を、当該可搬型記録媒体にコピーするコピー手段と
を備えることを特徴とする請求項１記載の録画装置。
【請求項７】  前記保護属性は、
可搬型記録媒体に書き込まれるまで維持され、可搬型記録媒体へのコピーが終了した時点で解除されることを特徴とする請求項６記載の録画装置。
【請求項８】  前記録画装置は、
記録媒体上に２以上の記録領域を備え、
前記保護属性が設定された部分を、当該記録媒体の別領域にコピーするコピー手段を備えることを特徴とする請求項１記載の録画装置。
【請求項９】  前記保護属性は、
可搬型記録媒体に書き込まれるまで維持され、記録媒体の別領域へのコピーが終了した時点で解除されることを特徴とする請求項８ 記載の録画装置。
【請求項１０】  前記保護属性が設定される部分とは、
現在からＮ時間前までに放送された複数放送番組のうち何れかを構成する２以上のビデオユニットが記録されている記録媒体上の部分であり、
前記録画装置は、
記録媒体に記録された複数ビデオユニットのそれぞれを再生する再生手段を備え、
前記設定手段は、
複数ビデオユニットのうち、１つの放送番組を構成する２ 以上のビデオユニットの再生が完了した時点において、その放送番組に対応する時間帯を保存するかの問い合わせをユーザに行い、
前記ユーザ操作とは、問い合わせに対して肯定的な回答を行う操作であることを特徴とする請求項１記載の録画装置。
【請求項１１】  前記保護属性が設定される部分とは、
現在からＮ時間前までに放送された複数放送番組のうち何れかを構成する２以上のビデオユニットが記録されている記録媒体上の部分であり、
前記録画装置は、
記録媒体に記録された複数ビデオユニットのそれぞれを再生する再生手段を備え、
前記ユーザ操作とは、
各ビデオユニットの再生時において、そのビデオユニットが属する放送番組に対応する時間帯を保存する旨のユーザ操作であることを特徴とする請求項１記載の録画装置。
【請求項１２】  録画処理をコンピュータに行わせるコンピュータ読取可能なプログラムであって
記録媒体に対して常時録画を行うことにより、Ｎ時間前から現在時刻までの放送内容を記録媒体に得る常時録画ステップと、
ユーザ操作に基づき、記録媒体上の部分に保護属性を設定する設定ステップとを備え、
常時録画ステップによる常時録画は、
前記放送内容は、複数のビデオユニットを有し、
放送波を受信して新たなビデオユニットを得る処理（１）、新たに得られたビデオユニットを用いて、記録媒体の放送内容のうち１つのビデオユニットを上書きする処理（２）によりなされ、
記録媒体において、前記保護属性が設定された部分は、
常時録画ステップによる上書きから、保護されることを特徴とするコンピュータ読取可能なプログラム。
【請求項１３】  前記録画装置は、記録媒体における書込先を示すポインタを有し、
前記常時録画ステップによる上書き処理（２）は、
ポインタに示される書込先に、生成されたビデオユニットを書き込み、その後、当該ビデオユニットのサイズをポインタに加算する処理であり、
常時録画ステップによる上書きからの保護は、
保護属性が設定された部分近傍に、ポインタが達した場合、当該部分をスキップするよう、当該ポインタにオフセットを加算することによりなされることを特徴とする請求項１２記載のコンピュータ読取可能なプログラム。
【請求項１４】  前記保護属性が設定される部分とは、
現在からＮ時間前までに放送された複数放送番組のうち何れかを構成する２以上のビデオユニットが記録されている記録媒体上の部分であり、
前記コンピュータ読取可能なプログラムは、前記複数放送番組の放送スケジュール表を表示する表示ステップを備え、
前記ユーザ操作は、何れかの放送番組が放送される時間帯を受け付ける操作であることを特徴とする請求項１２記載のコンピュータ読取可能なプログラム。
【請求項１５】  前記保護属性が設定される部分とは、
Ｎ時間前から現在時刻までの時間帯に対応しており、
前記ユーザ操作は、
前記時間帯の開始時刻及び終了時刻を入力する操作であることを特徴とする請求項１２記載のコンピュータ読取可能なプログラム。
【請求項１６】  前記ユーザ操作は、開始時刻を入力する操作であり、
前記保護属性が設定される部分とは、
記録媒体に記録された複数ビデオユニットのうち、入力された開始時刻から所定の時間長を占める部分、又は、所定の時間長だけ過去の時刻から入力された開始時刻までを占める部分に設定されることを特徴とする請求項１２記載のコンピュータ読取可能なプログラム。
【請求項１７】  前記コンピュータ読取可能なプログラムは、
前記記録媒体とは別の可搬型記録媒体を操作する装填ステップと、
前記保護属性が設定された部分を、当該可搬型記録媒体にコピーするコピーステップとを備えることを特徴とする請求項１２記載のコンピュータ読取可能なプログラム。
【請求項１８】  前記保護属性は、
可搬型記録媒体に書き込まれるまで維持され、可搬型記録媒体へのコピーが終了した時点で解除されることを特徴とする請求項１７記載のコンピュータ読取可能なプログラム。
【請求項１９】  前記コンピュータ読取可能なプログラムは、
前記保護属性が設定された部分を、記録媒体の別領域にコピーするコピーステップを備えることを特徴とする請求項１２記載のコンピュータ読取可能なプログラム。
【請求項２０】  前記保護属性は、
記録媒体の別領域に書き込まれるまで維持され、記録媒体の別領域へのコピーが終了した時点で解除されることを特徴とする請求項１９記載のコンピュータ読取可能なプログラム。
【請求項２１】  前記保護属性が設定される部分とは、
現在からＮ時間前までに放送された複数放送番組のうち何れかを構成する２以上のビデオユニットが記録されている記録媒体上の部分であり、
前記コンピュータ読取可能なプログラムは、
記録媒体に記録された複数ビデオユニットのそれぞれを再生する再生ステップを備え、
前記設定ステップは、
複数ビデオユニットのうち、１つの放送番組を構成する２以上のビデオユニットの再生が完了した時点において、その放送番組に対応する時間帯を保存するかの問い合わせをユーザに行い、
前記ユーザ操作とは、
問い合わせに対して肯定的な回答を行う操作であることを特徴とする請求項１２記載のコンピュータ読取可能なプログラム。
【請求項２２】  前記保護属性が設定される部分とは、
現在からＮ時間前までに放送された複数放送番組のうち何れかを構成する２以上のビデオユニットが記録されている記録媒体上の部分であり、前記コンピュータ読取可能なプログラムは、
記録媒体に記録された複数ビデオユニットのそれぞれを再生する再生ステップを備え、
前記ユーザ操作とは、
各ビデオユニットの再生時において、そのビデオユニットが属する放送番組に対応する時間帯を保存する旨のユーザ操作であることを特徴とする請求項１２記載のコンピュータ読取可能なプログラム。
【手続補正２】
【補正対象書類名】明細書
【補正対象項目名】０００９
【補正方法】変更
【補正の内容】
【０００９】
【課題を解決するための手段】
上記課題を解決するため、本発明に係る録画装置は、記録媒体に対して常時録画を行うことにより、Ｎ時間前から現在時刻までの放送内容を記録媒体に得る常時録画手段と、ユーザ操作に基づき、受け付けた時間帯に対応する記録媒体上の部分に、保護属性を設定する設定手段とを備え、前記放送内容は、複数のビデオユニットを有し、常時録画手段による常時録画は、放送波を受信して新たなビデオユニットを得る処理（１）、新たに得られたビデオユニットを用いて、記録媒体の放送内容のうち１つのビデオユニットを上書きする処理（２）によりなされ、記録媒体において、前記保護属性が設定された部分は、常時録画手段による上書きから、保護されることを特徴としている。